(57)【要約】      （修正有）【課題】作業者の熟練度によらず、統一された復旧手段により、故障時の復旧を迅速に行う電力監視制御システムを提供する。【解決手段】映像表示部３１を含む装置内部の状態を装置状態情報として送信する電力監視装置３と、電力監視装置３から送信された装置状態情報と、予め設定された故障判定用の情報である故障判定情報に基づき故障であるかを判断し、故障と判断した場合に故障である旨を示す故障情報を送信する故障判定部１２と、装置状態情報、故障判定情報、および予め故障要因を想定して作成された電力監視装置の復旧手段の情報である故障復旧情報に基づき、復旧の手順を示す復旧ガイダンス情報を作成し、送信する復旧ガイダンス部１３と、を備えた故障検出装置１と、故障検出装置１の故障判定部１２から送信された故障情報および復旧ガイダンス部１３から送信された復旧ガイダンス情報を作業者に報知する機能を備えた入出力装置４を有する。【選択図】図１
2018153015.tif 000002
【特許請求の範囲】
【請求項１】
電力設備および電力系統の状態を表示する映像表示部を備え、前記映像表示部を含む装置内部の状態を装置状態情報として送信する電力監視装置と、
前記電力監視装置から送信された装置状態情報と、予め設定された故障判定用の情報である故障判定情報に基づき故障であるかを判断し、故障と判断した場合に故障である旨を示す故障情報を送信する故障判定部と、
前記装置状態情報、前記故障判定情報および予め故障要因を想定して作成された前記電力監視装置の復旧手段の情報である故障復旧情報に基づき、復旧の手順を示す復旧ガイダンス情報を作成し、送信する復旧ガイダンス部と、
を備えた故障検出装置と、
前記故障検出装置の前記故障判定部から送信された前記故障情報および前記復旧ガイダンス部から送信された前記復旧ガイダンス情報を作業者に報知する報知部を備えた入出力装置と、
を有する電力監視制御システム。
【請求項２】
前記入出力装置の報知部は、表示装置、音声出力装置のうち少なくとも一つにより構成される請求項１に記載の電力監視制御システム。
【請求項３】
前記故障情報および前記復旧ガイダンス情報は、インターネット回線を介して送信される請求項１または２に記載の電力監視制御システム。
【請求項４】
前記電力監視装置の故障個所の復旧を行うためのコマンドを出力する故障復旧装置を備えた、請求項１乃至３のいずれか１項記載の電力監視制御システム。
【請求項５】
前記コマンドは、前記復旧ガイダンス情報に基づき前記電力監視装置の前記復旧ガイダンス部により作成され、前記故障検出装置から故障復旧装置に送信される請求項４に記載の電力監視制御システム。
【請求項６】
前記故障検出装置は、前記復旧を行うためのコマンドが、復旧に効果があるかの判定を行う効果判定部を備え、復旧に効果があると判定された復旧ガイダンス情報が、前記故障検出装置から送信される請求項１乃至５のいずれか１項記載の電力監視制御システム。
【請求項７】
電力監視装置から送信された、前記電力監視装置内部の状態を示す装置状態情報と、予め設定された故障判定用の情報である故障判定情報に基づき故障であるかを判断し、故障と判断した場合に故障である旨を示す故障情報を送信する故障判定部と、
前記装置状態情報、前記故障判定情報、および予め故障要因を想定して作成された前記電力監視装置の復旧手段の情報である故障復旧情報に基づき、復旧の手順を示す復旧ガイダンス情報を作成し、送信する復旧ガイダンス部と、
を備えた電力監視制御システム用故障検出装置。
【請求項８】
電力監視装置から送信された、前記電力監視装置内部の状態を示す装置状態情報と、予め設定された故障判定用の情報である故障判定情報に基づき故障であるかを判断し、故障と判断した場合に故障である旨を示す故障情報を送信する故障判定ステップと、
前記装置状態情報、前記故障判定情報、および予め故障要因を想定して作成された前記電力監視装置の復旧手段の情報である故障復旧情報に基づき、復旧の手順を示す復旧ガイダンス情報を作成し、送信する復旧ガイダンス作成ステップと、
を備えた電力監視制御システム用プログラム。
【請求項９】
電力監視装置から送信された、前記電力監視装置内部の状態を示す装置状態情報と、予め設定された故障判定用の情報である故障判定情報に基づき故障であるかを判断し、故障と判断した場合に故障である旨を示す故障情報を送信する故障判定手順と、
前記装置状態情報、前記故障判定情報、および予め故障要因を想定して作成された前記電力監視装置の復旧手段の情報である故障復旧情報に基づき、復旧の手順を示す復旧ガイダンス情報を作成し、送信する復旧ガイダンス作成手順と、
を備えた電力監視制御システム用故障検出方法。
【発明の詳細な説明】
【技術分野】
【０００１】
本実施形態は電力系統の監視を行う電力監視制御システム、電力監視制御システム用故障検出装置、電力監視制御システム用プログラム、電力監視制御システム用故障検出方法に関する。
【背景技術】
【０００２】
電力を安定供給するために電力系統に電力監視制御システムが設置される。この種の電力監視制御システムとしては、送変電設備の電気量を計測し電力系統の故障を検出する電力監視制御システムが知られている。
【先行技術文献】
【特許文献】
【０００３】
【特許文献１】特開２０１６−２５７９９公報
【発明の概要】
【発明が解決しようとする課題】
【０００４】
電力監視制御システムは、電力を安定供給するため、電力系統の故障を検出する。このため、電力監視制御システムにおいて故障が発生した場合、迅速に復旧されることが必要とされる。従来の電力監視制御システムでは、電力監視制御システムの故障が検出された場合、警報が、作業者に報知される。
【０００５】
しかしながら、電力監視制御システムの故障の復旧方法は、作業者に委ねられる。このため、電力監視制御システムの故障時に熟練した作業者が不在である場合など、電力監視制御システムの復旧に、長時間を要する恐れがあった。また、選択される復旧方法は、作業者の熟練度により異なり不統一となる恐れがあった。
【０００６】
電力監視制御システムの復旧に長時間を要することは、広範囲にわたる電力系統の監視が長時間行われないこととなり、不都合であった。電力監視制御システムの復旧手段の不統一は、内在する故障要因を放置する可能性があり、電力の安定供給を行うにあたり不都合であった。
【０００７】
本実施形態では、作業者の熟練度によらず、統一された復旧手段により、故障時の復旧を迅速に行うことができるようにするために、作業者に対し復旧に関する情報を提示し、復旧の補助を行うことができる電力監視制御システム、電力監視制御システム用故障検出装置、電力監視制御システム用プログラム、電力監視制御システム用故障検出方法を提供することを目的とする。
【課題を解決するための手段】
【０００８】
本実施形態の電力監視制御システムは次のような構成を有することを特徴とする。
（１）電力設備および電力系統の状態を表示する映像表示部を備え、前記映像表示部を含む装置内部の状態を装置状態情報として送信する電力監視装置。
（２）以下を備えた故障検出装置。
【０００９】
（２−１）前記電力監視装置から送信された装置状態情報と、予め設定された故障判定用の情報である故障判定情報に基づき故障であるかを判断し、故障と判断した場合に故障である旨を示す故障情報を送信する故障判定部。
（２−２）前記装置状態情報、前記故障判定情報および予め故障要因を想定して作成された前記電力監視装置の復旧手段の情報である故障復旧情報に基づき、復旧の手順を示す復旧ガイダンス情報を作成し、送信する復旧ガイダンス部。
（３）前記故障検出装置の前記故障判定部から送信された前記故障情報および前記復旧ガイダンス部から送信された前記復旧ガイダンス情報を作業者に報知する報知部を備えた入出力装置。
【図面の簡単な説明】
【００１０】
【図１】第１実施形態にかかる電力監視制御システムの構成を示す図
【図２】第１実施形態にかかる電力監視制御システム用プログラムのフローを示す図
【図３】第１実施形態にかかる電力監視制御システムの電力系統監視盤状態ファイルの構成図
【図４】第１実施形態にかかる電力監視制御システムの装置故障判定パターンファイルの構成図
【図５】第１実施形態にかかる電力監視制御システムの復旧手順ファイルの構成図
【図６】第２実施形態にかかる電力監視制御システムの構成を示す図
【図７】第３実施形態にかかる電力監視制御システムの構成を示す図
【図８】第４実施形態にかかる電力監視制御システムの構成を示す図
【図９】第４実施形態にかかる電力監視制御システムの装置故障判定データベースの構成図
【発明を実施するための形態】
【００１１】
［１．第１実施形態］
［１−１．構成］
図１を参照して本実施形態の一例として、電力監視制御システムについて説明する。
【００１２】
（１）システムの全体構成
本電力監視制御システムは、故障検出装置１、電力監視装置３、入出力装置４を有する。故障検出装置１、電力監視装置３、入出力装置４は、電力系統の監視制御を行う給電指令所、系統制御所、集中制御所、変電所などの指令室、訓練室などに設置される。故障検出装置１、電力監視装置３、入出力装置４は、通信回線２により接続される。
【００１３】
本電力監視制御システムにおいて、以下のデータが、入力、出力、送受信または記憶される。
ａ．装置状態情報
ｂ．故障判定情報
ｃ．故障情報
ｄ．故障復旧情報
ｅ．復旧ガイダンス情報
【００１４】
電力監視装置３は、大型の表示装置がコンソールに収納された電力系統の監視制御を行うための装置である。電力監視装置３は、具体的には主回路機器の制御を行う連動ＰＬＣ（プログラマブルロジックコントロール）盤、系統保護を行う保護継電器盤、系統の電気量を計測する計測盤等の機器である。電力監視装置３は、電力系統に設置された各電力設備および電力系統の状態を表すデータが蓄積された映像サーバ（図中不示）に電気的に接続され、各電力設備および電力系統の状態を検出し表示する。また、電力監視装置３は、電力監視装置３内部の状態検出を行い、通信回線２を介し電力監視装置３内部の状態を装置状態情報ａとして故障検出装置１に送信する。
【００１５】
通信回線２は、社内イントラネット、インターネット等により構成された通信回線である。通信回線２は、故障検出装置１、電力監視装置３、入出力装置４に接続されデータの送信、受信に使用される。
【００１６】
故障検出装置１は、パーソナルコンピュータ等の計算機により構成された装置である。故障検出装置１は、電力監視装置３から、通信回線２を介し電力監視装置３内部の状態である装置状態情報ａを受信する。故障検出装置１は、電力監視装置３の故障の復旧に関するデータを入出力装置４および電力監視装置３に送信する。
【００１７】
入出力装置４は、キーボード、表示装置、スピーカを有する作業者とのインタフェース機器である。入出力装置４は、作業者から入力された情報を故障検出装置１に送信し、故障検出装置１から送信された電力監視装置３の故障の復旧に関するデータを受信する。
【００１８】
（２）電力監視装置３の構成
電力監視装置３は、映像表示部３１と映像スイッチャ部３２と映像入力部３３を有する。
【００１９】
映像入力部３３は、送受信回路およびコンピュータにより構成された映像変換回路により構成される。映像入力部３３は、一方が電力監視装置３外部の映像サーバ（図中不示）に、他方が映像スイッチャ部３２に接続される。映像サーバには、電力系統に設置された各電力設備および電力系統の状態を表すデータが記憶される。映像入力部３３は、映像サーバから各電力設備および電力系統の状態を表すデータを受信し、デジタルＲＧＢ映像信号、アナログＲＧＢ映像信号等の映像信号に変換する。映像入力部３３は、変換された映像信号を映像スイッチャ部３２に送信する。
【００２０】
映像スイッチャ部３２は、コンピュータにより構成された映像切換回路により構成される。映像スイッチャ部３２は、映像入力部３３から送信された映像信号を切換え、映像表示部３１に送信する。
【００２１】
映像表示部３１は、パネル型の液晶表示器により構成され、映像表示器３１ａ〜３１ｄを有する。映像表示部３１は、映像スイッチャ部３２から送信された映像信号に基づき、各電力設備および電力系統の状態を表す映像を表示する。この映像信号は、映像スイッチャ部３２により切換えられる。映像表示部３１は、映像表示器３１ａ〜３１ｄおよび周辺回路等の装置内部の状態を検出し、装置状態情報ａとして通信回線２を介し電力監視装置３に送信する。
【００２２】
（３）故障検出装置１の構成
故障検出装置１は、パーソナルコンピュータ等の計算機により構成される。故障検出装置１は、状態監視部１１、故障判定部１２、復旧ガイダンス部１３、ガイダンス出力部１４を有する。状態監視部１１、故障判定部１２、復旧ガイダンス部１３、ガイダンス出力部１４は、故障検出装置１を構成する計算機内の演算部または、ソフトウェアモジュールにより構成される。
【００２３】
さらに、故障検出装置１は、装置状態記憶部１０１、故障判定記憶部１０２、復旧手順記憶部１０３を有する。装置状態記憶部１０１、故障判定記憶部１０２、復旧手順記憶部１０３は、半導体メモリやハードディスクのような記憶媒体にて構成され、故障検出装置１を構成する計算機内に配置される。
【００２４】
状態監視部１１は、電力監視装置３の映像表示部３１から通信回線２を介して送信された装置状態情報ａを受信し、電力監視装置３の状態監視を行う。状態監視部１１は、受信した装置状態情報ａを装置状態記憶部１０１に記憶させる。
【００２５】
故障判定記憶部１０２は、予め故障要因を想定して作成された電力監視装置３の故障判定用の情報である故障判定情報ｂを記憶する。故障判定情報ｂは、作業者により入出力装置４を介して、予め入力される。
【００２６】
故障判定部１２は、装置状態記憶部１０１に記憶された装置状態情報ａと、故障判定記憶部１０２に記憶された故障判定情報ｂと、を比較し電力監視装置３が故障であるか判断し、故障がある場合、故障検出装置１の入出力ポート（図中不示）を介し、入出力装置４に対し電力監視装置３が故障である旨を示す故障情報ｃを送信する。
【００２７】
復旧手順記憶部１０３は、予め故障要因を想定して作成された電力監視装置３の復旧手段の情報である故障復旧情報ｄを記憶する。故障復旧情報ｄは、作業者により入出力装置４を介して、予め入力される。
【００２８】
復旧ガイダンス部１３は、装置状態記憶部１０１に記憶された装置状態情報ａに基づく故障した装置の装置番号、故障判定記憶部１０２に記憶された故障判定情報ｂに基づく故障パターン番号、および復旧手順記憶部１０３に記憶された故障復旧情報ｄに基づき、復旧の手順を示す復旧ガイダンス情報ｅを作成し、故障検出装置１の入出力ポート（図中不示）を介し、入出力装置４に送信する。
【００２９】
ガイダンス出力部１４は、復旧ガイダンス部１３により作成された復旧ガイダンス情報ｅを音声情報に変換し、通信回線２を介し入出力装置４に出力する。
【００３０】
（４）入出力装置４の構成
入出力装置４は、作業者とのインタフェース機器である。入出力装置４は、入力部４３、故障情報出力部４１、復旧ガイダンス出力部４４、警報出力部４２、音声ガイダンス出力部４５を有する。
【００３１】
入力部４３は、キーボード、マウス、タッチパネル、または通信インタフェースにより構成される。入力部４３は、作業者に操作され故障判定情報ｂ、故障復旧情報ｄが入力される。入力された故障判定情報ｂは故障検出装置１の故障判定記憶部１０２に、故障復旧情報ｄは故障検出装置１の復旧手順記憶部１０３に記憶される。
【００３２】
故障情報出力部４１および復旧ガイダンス出力部４４は、表示装置、プリンタ、または通信インタフェースにより構成される。故障情報出力部４１は、故障検出装置１の故障判定部１２から送信された故障情報ｃを出力する。復旧ガイダンス出力部４４は、復旧ガイダンス部１３から出力された復旧ガイダンス情報ｅを出力する。
【００３３】
警報出力部４２および音声ガイダンス出力部４５はスピーカを有する音声変換回路により構成される。警報出力部４２は、故障検出装置１のガイダンス出力部１４から通信回線２を介して送信された故障情報ｃを音声に変換し出力する。音声ガイダンス出力部４５は、故障検出装置１のガイダンス出力部１４から通信回線２を介して送信された復旧ガイダンス情報ｅを音声に変換し出力する。
【００３４】
［１−２．作用］
次に、本実施形態の電力監視制御システムの動作を図１〜４に基づき説明する。
【００３５】
（１）電力監視装置３の作用
電力監視装置３は、各電力設備および電力系統の状態を検出し表示する装置である。電力監視装置３は、電力監視装置３内部の状態検出を行い、通信回線２を介し電力監視装置３内部の状態を装置状態情報ａとして故障検出装置１に送信する。
【００３６】
電力監視装置３の映像入力部３３は、電力監視装置３外部の映像サーバ（図中不示）から各電力設備および電力系統の状態を表すデータを受信する。このデータには、各電力設備および電力系統の電圧、電流、周波数、温度の状態を表すデータが含まれる。映像入力部３３は、各電力設備および電力系統の状態を表すデータをデジタルＲＧＢ映像信号、アナログＲＧＢ映像信号等の映像信号に変換し、映像スイッチャ部３２に送信する。
【００３７】
映像スイッチャ部３２は、映像入力部３３により変換された各電力設備および電力系統の状態を表すデータに関する映像信号を、映像表示部３１に送信する。各電力設備および電力系統の状態を表すデータは、映像表示部３１に同時に表示することができないほど大量である。このため映像スイッチャ部３２は、映像信号を逐次切換えて表示するように、映像表示部３１に映像信号を送信する。
【００３８】
映像スイッチャ部３２から送信された、各電力設備および電力系統の状態を表すデータに関する映像信号を、映像に変換し表示する。この映像信号は、映像スイッチャ部３２により切換えられる。映像表示部３１は、映像表示器３１ａ〜３１ｄの状態を検出し、装置状態情報ａとして通信回線２を介し電力監視装置３に送信する。この装置状態情報ａには、映像表示器３１ａ〜３１ｄを構成する表示素子（例えばＬＥＤ）の輝度、コントラストや、冷却ファンの温度等の状態を示す情報が含まれる。
【００３９】
（２）故障検出装置１の作用
故障検出装置１は、電力監視装置３の故障を検出し、故障に関する情報である故障情報ｃ、復旧ガイダンス情報ｅを入出力装置４に出力し、作業者に報知する装置である。故障検出装置１は、コンピュータにより構成され、状態監視部１１、故障判定部１２、復旧ガイダンス部１３、ガイダンス出力部１４は、故障検出装置１内のソフトウェアモジュールにより構成される。これらの各ソフトウェアモジュールは、故障検出装置１内のコンピュータプログラムにより動作を制御される。図２は、故障検出装置１に内蔵されたコンピュータプログラムのフロー図である。故障検出装置１に内蔵されたコンピュータプログラムは下記の手順にて各ソフトウェアモジュールを起動し、各部の制御を行う。
【００４０】
（ステップＳ０１：状態監視部１１に装置状態情報ａを取得させる）
状態監視部１１は、電力監視装置３の映像表示部３１から通信回線２を介して送信された装置状態情報ａを受信し、電力監視装置３の状態監視を行う。この装置状態情報ａには、映像表示器３１ａ〜３１ｄを構成する表示素子（例えばＬＥＤ）の輝度、コントラストや、冷却ファンの温度等の状態を示す情報が含まれる。状態監視部１１は、受信した装置状態情報ａを装置状態記憶部１０１に記憶させる。
【００４１】
図３に、装置状態記憶部１０１に記憶された装置状態情報ａの構成を示す。電力監視装置３の映像表示部３１は、映像表示器３１ａ〜３１ｄの故障を検出する検出装置１〜Ｎ（図中不示）を有する。図３における装置番号は、この検出装置１〜Ｎの番号である。図３における装置状態は、検出装置１〜Ｎ（図中不示）ごとに検出された各装置の状態が、要因ごとに８ｂｉｔで表された情報である。
【００４２】
一例として、図３における装置番号に対応した検出装置１〜４は、順に映像表示器３１ａ〜３１ｄの輝度に関する状態を、検出装置５〜８は、順に映像表示器３１ａ〜３１ｄの温度に関する状態を示している。装置状態にかかる８ｂｉｔの情報は、８つの要因ごとの正常、異常を示す。
【００４３】
一例として、図３における装置状態にかかる８ｂｉｔの情報は、各映像表示器３１ａ〜３１ｄの８か所の部分の正常、異常を示す。ビット値が「０」の場合、正常であることを示し、「１」の場合、異常が検出されたことを示す。予め設定された範囲を超える場合に、異常であると判断される。例えば検出装置の装置番号１に対応する装置状態は、「０００００１１０」であり、この「１」に対応する映像表示器の部分において、異常が検出されたことを示す。「０」に対応する部分は、正常であると検出された。
【００４４】
（ステップＳ０２：故障判定部１２に故障であるか判断させる）
故障判定部１２は、装置状態記憶部１０１に記憶された装置状態情報ａと、故障判定記憶部１０２に記憶された故障判定情報ｂと、を比較し故障判定情報ｂにおける故障パターン番号を選択する。さらに故障判定部１２は、故障パターン番号に基づき電力監視装置３が故障であるか判断を行う。
【００４５】
図４に、故障判定記憶部１０２に記憶された故障判定情報ｂの構成を示す。故障判定情報ｂは、作業者により入出力装置４を介して、予め入力される。故障判定情報ｂは、予め故障要因を想定して図３における装置番号ごとに作成される。
【００４６】
故障判定情報ｂにおける、要因１〜８は図３における装置状態を表す８ｂｉｔに対応する。したがって故障判定情報ｂに対応した故障パターン番号は、８ｂｉｔの場合、０〜２５５になる。故障判定部１２は、装置状態記憶部１０１に記憶された装置状態情報ａと、故障判定記憶部１０２に記憶された故障判定情報ｂと、を比較し、装置状態情報ａに相当する故障パターン番号を選択する。選択された故障パターン番号が故障である場合に、故障であると判断する。
【００４７】
例えば、図３における装置番号１に対応する装置状態は、「０００００１１０」であるので図４に示す故障判定情報ｂ中の故障パターン６が選択され、故障と判断される。装置番号２に対応する装置状態は、「００００００００」であるので故障判定情報ｂ中の故障パターン０が選択され、正常と判断される。
【００４８】
（ステップＳ０３：故障であると判断された場合、故障情報ｃ、故障パターン番号を送信させる）
ステップＳ０２により故障であると判断された場合（Ｓ０２の故障）、故障判定部１２は、入出力装置４に対し故障情報ｃを送信する。故障情報ｃには、故障であると判断された装置番号および、ステップＳ０２により選択された故障パターン番号に基づいた故障内容が含まれる。また、故障判定部１２は、故障であると判断された装置番号およびステップＳ０２により選択された故障パターン番号を、復旧ガイダンス部１３に送信する。
【００４９】
（ステップＳ０４：復旧ガイダンス部１３に復旧ガイダンス情報ｅを送信させる）
復旧ガイダンス部１３は、故障判定部１２から送信された故障であると判断された装置番号および故障パターン番号に基づき、故障復旧情報ｄの中から復旧ガイダンス情報ｅを選択する。さらに復旧ガイダンス部１３は、復旧ガイダンス情報ｅを、ガイダンス出力部１４および入出力装置４に送信する。
【００５０】
図５に、復旧手順記憶部１０３に記憶された故障復旧情報ｄの構成を示す。故障復旧情報ｄは、作業者により入出力装置４を介して、予め入力される。故障復旧情報ｄは、予め故障要因を想定し、図３における装置番号ごとに作成される。故障復旧情報ｄは、各装置の故障パターン番号に対応した、故障復旧手順を示すデータである復旧ガイダンス情報ｅを有する。復旧ガイダンス情報ｅは、テキスト１〜ＮＮのデータである。
【００５１】
例えば故障復旧情報ｄの復旧ガイダンス情報ｅであるテキスト１には「Ａ１の電源を遮断して下さい」、テキスト２には「Ｂ１の設定をａ１にして下さい」、テキスト３には「Ｃ１の基板ｃを交換して下さい」等のデータが格納されている。
【００５２】
（ステップＳ０５：ガイダンス出力部１４に復旧ガイダンス情報ｅを送信させる）
ガイダンス出力部１４は、復旧ガイダンス部１３により作成された復旧ガイダンス情報ｅを音声情報に変換し、通信回線２を介し入出力装置４に出力する。
【００５３】
（３）入出力装置４の作用
入出力装置４は、作業者により故障判定情報ｂ、故障復旧情報ｄが入力され、故障情報ｃ、復旧ガイダンス情報ｅが出力される。
【００５４】
入力部４３は、作業者に操作され故障判定情報ｂ、故障復旧情報ｄが入力される。入力された故障判定情報ｂは故障検出装置１の故障判定記憶部１０２に、故障復旧情報ｄは故障検出装置１の復旧手順記憶部１０３に記憶される。
【００５５】
故障情報出力部４１は、故障検出装置１の故障判定部１２により故障であると判断された装置番号および、故障内容を含む故障情報ｃを出力する。
【００５６】
復旧ガイダンス出力部４４は、故障検出装置１の復旧ガイダンス部１３から出力された復旧ガイダンス情報ｅを出力する。
【００５７】
警報出力部４２は、故障検出装置１のガイダンス出力部１４から通信回線２を介して送信された故障情報ｃを音声に変換し出力する。
【００５８】
音声ガイダンス出力部４５は、故障検出装置１のガイダンス出力部１４から通信回線２を介して送信された復旧ガイダンス情報ｅを音声に変換し出力する。
【００５９】
［１−３．効果］
（１）本実施形態によれば、故障検出装置１の状態監視部１１により電力監視装置３の装置状態情報ａが受信され、装置状態情報ａと故障判定情報ｂが故障判定部１２により比較され、故障であるかを判断され故障パターン番号が選択され、故障判定部１２により故障であると判断された場合、復旧ガイダンス部１３により、故障パターン番号に基づき、故障復旧情報ｄの中から復旧ガイダンス情報ｅが選択され、作業者に対し復旧に関する情報である復旧ガイダンス情報ｅが提示され、復旧が補助されるので作業者の熟練度によらず、統一された復旧手段により、故障時の復旧を迅速に行うことができる。
【００６０】
（２）本実施形態によれば、電力監視装置３を構成する装置毎の故障要因に対応した復旧ガイダンス情報ｅが、表示や音声にて出力されるので、熟練技術者の経験に依存することなく装置の復旧を速やかに実施することができ、操作が遅れることによる不安定な電力供給を抑制することができる。
【００６１】
［２．第２実施形態］
［２−１．構成］
第２実施形態にかかる電力監視制御システムについて図６を参照して説明する。なお、この第２実施形態の各部の構成において、図１に示す第１実施形態の電力監視制御システムの各部と同一部分は同一符号で示す。
【００６２】
第２実施形態の電力監視制御システムは、第１実施形態の電力監視制御システムに加え、入出力装置４内に故障復旧装置４６を有する。その他の構成は第１実施形態と同様である。
【００６３】
故障復旧装置４６は、電力監視装置３の故障個所の復旧を行う装置である。故障復旧装置４６は、入力側が入出力装置４の入力部４３に、出力側が電力監視装置３に接続される。故障復旧装置４６は、マイクロコンピュータ等により構成され、作業者により入力部４３に入力されたコマンドに基づき、電力監視装置３に対し制御信号を送信する。
【００６４】
［２−２．作用］
次に、本実施形態の動作を図６に基づき説明する。故障検出装置１から送信された、故障であると判断された装置番号および故障内容を含む故障情報ｃ、故障復旧手順を示すデータである復旧ガイダンス情報ｅが入出力装置４を介し、作業者に対し出力される。
【００６５】
故障情報ｃ、復旧ガイダンス情報ｅを参照し、作業者は、故障復旧装置４６に電力監視装置３の故障個所の復旧を行うためのコマンドを、入力部４３を介し故障復旧装置４６に入力する。故障復旧装置４６は、故障個所の復旧を行うためのコマンドを、電力監視装置３に送信する。
【００６６】
故障個所の復旧を行うためのコマンドとして、故障復旧装置４６から、電力監視装置３のリセットコマンドや電源の入／切指示に関するコマンド等が送信される。電力監視装置３は、故障復旧装置４６から送信された故障個所の復旧を行うためのコマンドに従い、故障個所の復旧を行う。なおコマンドは、上記にかかわらず任意に選択されてよい。
【００６７】
［２−３．効果］
本実施形態によれば、入出力装置４内に故障復旧装置４６を備えるので、作業者が、故障復旧装置４６を介して遠隔操作を行うことにより、電力監視装置３の故障個所の早期の復旧を行うことができる。その結果、電力系統の監視が長時間行われないことを避けることができ、電力の安定供給を行うことができる。
【００６８】
［３．第３実施形態］
［３−１．構成］
第３実施形態にかかる電力監視制御システムについて図７を参照して説明する。なお、この第３実施形態の各部の構成において、図１に示す第１実施形態の電力監視制御システムの各部と同一部分は同一符号で示す。
【００６９】
第３実施形態の電力監視制御システムは、第１実施形態の電力監視制御システムに加え、入出力装置４内に故障復旧装置４７を有する。その他の構成は第１実施形態と同様である。
【００７０】
故障復旧装置４７は、電力監視装置３の故障個所の復旧を行う装置である。故障復旧装置４７は、入力側が通信回線２に、出力側が電力監視装置３に接続される。故障復旧装置４７は、入出力装置４の入力部４３からのコマンドにより電力監視装置３への通信が許諾される。故障復旧装置４７は、マイクロコンピュータ等により構成され、通信回線２を介しガイダンス出力部１４から受信したコマンドに基づき、電力監視装置３に対し制御信号を送信する。
【００７１】
［３−２．作用］
次に、本実施形態の動作を図７に基づき説明する。復旧ガイダンス部１３は、故障判定部１２から送信された故障情報ｃと復旧ガイダンス部１３により選択された復旧ガイダンス情報ｅに基づき電力監視装置３の故障個所の復旧を行うためのコマンドを作成する。作成されたこのコマンドは、ガイダンス出力部１４および通信回線２を介し故障復旧装置４７に送信される。
【００７２】
入力部４３から作業者により通信を許諾する旨のコマンドが入力された場合、故障復旧装置４７は、電力監視装置３の故障個所の復旧を行うためのコマンドを、電力監視装置３に送信する。
【００７３】
故障個所の復旧を行うためのコマンドとして、故障復旧装置４７から、電力監視装置３のリセットコマンドや電源の入／切指示に関するコマンド等が送信される。電力監視装置３は、故障復旧装置４７から送信された故障個所の復旧を行うためのコマンドに従い、故障個所の復旧を行う。なおコマンドは、上記にかかわらず任意に選択されてよい。
【００７４】
［３−３．効果］
本実施形態によれば、入出力装置４内に故障復旧装置４７を備えるので、遠隔から電力監視装置３の故障個所の早期の復旧を行うことができる。また、電力監視装置３の故障個所の復旧を行うためのコマンドは、人手によらず復旧ガイダンス部１３により作成されるので、人為的なミスを軽減することができる。その結果、電力系統の監視が長時間行われないことを避けることができ、電力の安定供給を行うことができる。
【００７５】
［４．第４実施形態］
［４−１．構成］
第４実施形態にかかる電力監視制御システムについて図８を参照して説明する。なお、この第４実施形態の各部の構成において、図７に示す第３実施形態の電力監視制御システムの各部と同一部分は同一符号で示す。
【００７６】
第４実施形態の電力系統保護装置は、第３実施形態の電力系統保護装置に加え、効果判定部１５、効果判定記憶部１０４を有する。その他の構成は第３実施形態と同様である。
【００７７】
効果判定部１５は、計算機内の演算部または、ソフトウェアモジュールにより構成される。効果判定部１５は、入力側が装置状態記憶部１０１に、出力側が効果判定記憶部１０４に接続される。効果判定部１５は、装置状態記憶部１０１に記憶された、電力監視装置３による故障個所の復旧を行うためのコマンド実行後の装置状態情報ａを取得し、電力監視装置３の故障個所の復旧が成功したかの判定を行う。効果判定部１５は、故障個所の復旧が成功したかの判定に基づき、「復旧の効果に関するデータ」を効果判定記憶部１０４に記憶させる。
【００７８】
効果判定記憶部１０４は、半導体メモリやハードディスクのような記憶媒体にて構成され、故障検出装置１を構成する計算機内に配置される。効果判定記憶部１０４は、入力側が効果判定部１５に、出力側が復旧ガイダンス部１３に接続される。効果判定記憶部１０４は、効果判定部１５により作成された、「復旧の効果に関するデータ」を記憶する。
【００７９】
［４−２．作用］
次に、本実施形態の動作を図８、９に基づき説明する。効果判定部１５は、装置状態記憶部１０１に記憶された、電力監視装置３による故障個所の復旧を行うためのコマンド実行後の装置状態情報ａを取得する。
【００８０】
次に、効果判定部１５は、装置状態記憶部１０１に記憶された装置状態情報ａと、故障判定記憶部１０２に記憶された故障判定情報ｂとの対比を行い、復旧を行うためのコマンドの効果が、復旧に効果があるかの判定を行う。この判定の結果を「復旧の効果に関するデータ」として効果判定記憶部１０４に記憶させる。効果判定部１５は、一定期間、この電力監視装置３による故障個所の復旧を行うためのコマンド実行後の装置状態情報ａの取得動作および、装置状態記憶部１０１に記憶された装置状態情報ａと、故障判定記憶部１０２に記憶された故障判定情報ｂとの対比動作および効果判定記憶部１０４への「復旧の効果に関するデータ」記憶動作を繰り返す。この動作の繰り返し期間は任意に選択されてよい。
【００８１】
効果判定記憶部１０４は、効果判定部１５により作成された、「復旧の効果に関するデータ」を記憶する。図９に、効果判定記憶部１０４に記憶された「復旧の効果に関するデータ」を示す。
【００８２】
「復旧の効果に関するデータ」は、検出装置１〜Ｎごとに作成される。図９における各判定結果は、復旧効果の程度を示すランクにて表現された情報である。例えば、各判定結果は、復旧効果が無かったことを示す「０」、復旧効果が有ったことを示す「１」により示される。効果判定記憶部１０４に記憶された、図９に示す「復旧の効果に関するデータ」は、復旧手順記憶部１０３に記憶された、図５に示す故障復旧情報ｄに対応し、復旧効果の有効性を示す。
【００８３】
次回以降の故障発生時には、効果判定記憶部１０４に記憶された「復旧の効果に関するデータ」のうち、有効な復旧手段であると判定された復旧ガイダンス情報ｅが、復旧ガイダンス部１３からガイダンス出力部１４および入出力装置４に送信される。
【００８４】
［４−３．効果］
本実施形態によれば、復旧手順記憶部１０３に記憶された故障復旧情報ｄのうち、復旧に有効な復旧ガイダンス情報ｅが選択されるので、電力監視装置３のより確実な復旧操作が可能となる。
【００８５】
［５．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００８６】
（１）上記実施形態では、故障復旧部１３は、復旧ガイダンス情報を作成し、入出力装置４に送信するものとしたが、併せて故障警報鳴動を行うための信号を送信するようにしてもよい。
【００８７】
（２）上記実施形態では、映像表示部３１が映像表示器３１ａ〜３１ｄの状態を検出し、装置状態情報ａを送信するものとしたが、カメラを設け電力監視装置３を監視し、カメラからの情報を装置状態情報ａとするようにしてもよい。
【００８８】
（３）上記実施形態では、装置状態情報ａは、各装置の状態を要因ごとに８ｂｉｔにて表さられるのもとしたが、データの形式および要因数はこれに限られない。異なるデータの形式および要因数であってもよい。
【００８９】
（４）上記実施形態では、復旧ガイダンス情報ｅにおける故障復旧手順を示すデータはテキストデータであるものとしたが、データ形式は、これに限られない。また、任意の故障復旧手順が選択されるものとしてよい。
【００９０】
（５）上記実施形態では、映像表示部３１は、４つのパネル型映像表示器３１ａ〜３１ｄを有するものとしたが映像表示器の数量および形態はこれに限られない。映像表示部３１は、任意の数量および形態の映像表示器を有するものであってよい。
【００９１】
（６）上記実施形態では、映像入力部３３は、映像信号としてデジタルＲＧＢ映像信号、アナログＲＧＢ映像信号を送信するものとしたが、映像信号はこれに限られない。また他の形態の映像信号であってもよい。また映像スイッチャ部３２の入力信号の入力点数および出力点数は、任意に変更してもよい。
【符号の説明】
【００９２】
１・・・故障検出装置
２・・・通信回線
３・・・電力監視装置
４・・・入出力装置
１１・・・状態監視部
１２・・・故障判定部
１３・・・復旧ガイダンス部
１４・・・ガイダンス出力部
１５・・・効果判定部
３１・・・映像表示部
３２・・・映像スイッチャ部
３３・・・映像入力部
４１・・・故障情報出力部
４２・・・警報出力部
４３・・・入力部
４４・・・復旧ガイダンス出力部
４５・・・音声ガイダンス出力部
４６・・・故障復旧装置
４７・・・故障復旧装置
１０１・・・装置状態記憶部
１０２・・・故障判定記憶部
１０３・・・復旧手順記憶部
１０４・・・効果判定記憶部
【図１】
2018153015.tif 000003
【図２】
2018153015.tif 000004
【図３】
2018153015.tif 000005
【図４】
2018153015.tif 000006
【図５】
2018153015.tif 000007
【図６】
2018153015.tif 000008
【図７】
2018153015.tif 000009
【図８】
2018153015.tif 000010
【図９】
2018153015.tif 000011